(57)【要約】【課題】左右の手の選びによって消火栓弁の閉止操作のし易さに差がない消火栓装置を得ること。【解決手段】消火栓扉が備えられた開口部を形成する筐体の中に配設された消火栓弁の開閉レバーの先端側に、ほぼ水平でかつ前記開口部にほぼ平行な軸を持つ把手部を設けた。【選択図】  図２
2004283184.tif 000002
【特許請求の範囲】
【請求項１】
消火栓扉が備えられた開口部を形成する筐体の中に配設された消火栓弁の開閉レバーの先端側に、ほぼ水平でかつ前記開口部にほぼ平行な軸を持つ把手部を設けたことを特徴とする消火栓装置。
【請求項２】
前記把手部の高さ位置が、消火栓弁の閉止時より全開時が低い位置であることを特徴とする請求項１記載の消火栓装置。
【請求項３】
垂直に配設された給水配管に接続された前記消火栓弁の前記開閉レバーの閉止位置が垂直より手前側に前傾していることを特徴とする請求項１または２記載の消火栓装置。
【請求項４】
少なくとも前記消火栓弁の全開時には、前記把手部が前記消火栓扉の閉止位置で干渉する構成であることを特徴とする請求項１乃至３いずれか記載の消火栓装置。
【発明の詳細な説明】
【０００１】
【発明の属する技術分野】
この発明は、消火栓装置の消火栓弁の開閉レバーに関するものである
【０００２】
【従来の技術】
従来の消火栓装置の消火栓弁を開閉操作するには、ボール弁やバタフライ弁である消火栓弁の弁体の回動軸、すなわち弁軸に対し直角に固定された開閉レバーの先端部分が把手部となっており、この把手部を握って開閉レバーを９０度回転する事によってなされていた（例えば、特許文献１参照）。なお、この時の弁軸は開閉レバーの回動軸でもある。
【０００３】
従来の開閉レバーを、図５から図７に示す。図示しない消火栓扉を開けると、この消火栓扉が備えられた開口部に臨んでこの開口部（がつくる平面）に平行な、消火栓弁の開閉レバーが現れる。例えば、図５に示すように垂直な給水配管３に接続された消火栓弁１２０の水平な弁軸Ｃ６に直角な開閉レバー１２２が、閉弁状態の位置で前記開口部に平行に且つ水平に配置されていた。また、図６に示すように前記開口部に平行で水平な給水配管３に接続され横置きされた弁本体２２１の垂直な弁軸Ｃ７に直角な開閉レバー２２２が、閉弁状態の位置で前記開口部に平行に且つ水平に配置されていた。更に、図７のように垂直な給水配管に接続された水平な弁軸Ｃ８の消火栓弁３２０の開閉レバー３２２が、閉弁状態の位置で垂直に配置されていた。
【０００４】
そして、これらの開閉レバー１２２，２２２，３２２を開弁するには、開閉レバー１２２は下方に時計回りＡ１に９０度回動して先端が真下を向いた開閉レバー１２２ａの位置に（図５）、開閉レバー２２２は手前に反時計回りＡ２に９０度回動して先端が手前に向いた水平な開閉レバー２２２ａの位置に（図６）、また開閉レバー３２２は右に時計回りＡ３に９０度回動して先端が右に水平に向いた開閉レバー３２２ａの位置に（図７）移動するようにしていた。
【０００５】
また、特許文献２に示す従来例は、垂直な給水配管に接続された消火栓弁の水平な弁軸に直角な開閉レバーが、閉弁状態の位置で消火栓扉の開口部に平行に且つ垂直に配置されていた。ここで弁軸は前記開口部に平行で水平であり、開閉レバーは消火栓弁の右側に直立していた。
【０００６】
また、特許文献３に示す従来例は、消火栓扉の開口部に垂直で水平な給水配管に接続され横置きされた弁本体の水平な弁軸に直角な開閉レバーが、閉弁状態の位置で消火栓装置の正面から見て後方に４５度ほど傾斜して配置されていた。ここで弁軸は前記開口部に平行である
次に、別の状況においては、消火栓装置を使用した後のことで、ポンプが止められて給水が止まった後、消火栓弁が開放状態のまま消火栓扉を閉止されてしまうことがあった。それで、従来例（例えば、特許文献４参照）ではそのことがないように、消火栓弁が開の状態では、消火栓弁に連結するリンクの一部が扉の内側の縁から突出し消火栓扉の閉止を阻止して、消火栓扉を閉止させない工夫がなされていた。
【０００７】
【特許文献１】実開平５−２８３５６号公報
【０００８】
【特許文献２】実公昭５５−２８２８６号公報
【０００９】
【特許文献３】実開昭５４−１３１３９８号公報
【００１０】
【特許文献４】実公平７−３１７９７号公報
【００１１】
【発明が解決しようとする課題】
従来例では、火災時消火栓装置を初めて取り扱う者が殆どであって、その取扱い者が消火栓扉を開けての図解の操作説明板を見て短い間に判断しなければならず、とっさに握った閉止状態の開閉レバーの回転方向が、回転方向の指示がされてあったとしても、あわてていて取扱い者の瞬間的な想定と違っていた場合、持ち替えて余計な手間がかかるという状況があった。あるいは持ち替えないとしても、操作しづらいという、良好な操作性に関して問題が生ずる場合があった。
【００１２】
例えば、図７において垂直の開閉レバー３２２を右手の親指を上にして握ると、右回転は力が入れにくいので、右手の親指を下に持ち替えることがあった。
【００１３】
また、図示しない回転の指示通りする場合でも、開閉レバーが水平または垂直に配置された場合では、右手操作と左手操作では操作性の良さが異なる。例えば図５の例では右手操作の人に操作し易く、図６、図７の例では左手操作の人に操作し易くなっていた。特許文献２の従来技術においても、この開閉レバーを操作するには、右手には容易だが、左手は消火栓弁が開閉レバーを握る時に障害となって操作しにくかった。
【００１４】
特許文献３などのような従来技術においてこの開閉レバーを操作するには、開閉レバーの先端を覆う開閉レバーに沿った握りが取り付けられたものもあり、その握りをとっさにつかんで手前に引いて操作をしていた。左右の手の選びによる操作上の差はないが、開閉レバーがノズル横（第１図では右側）に距離を置いて配置されているため、ノズルを取って左側に消火に行きたい場合でも、一旦右に寄って開閉レバーを操作しなければならず、消火活動の左右の位置によっては不具合な場合があった。
【００１５】
この発明は、上記事情に鑑み、消火栓装置の消火栓弁の開閉レバーの操作について、左右の手の選びによる操作性に差がなく、また回動の方向を取り違えにくく握り替える必要がない開閉レバーを有し、また、消火栓装置に対する火災地点の左右方向が、ノズルに対する開閉レバーの方向と反対側であっても、開閉レバーの操作性の差が軽減され、緊急対応性に優れた消火栓弁を有する消火栓装置を得ることを目的とする。
【００１６】
またこの発明の第二の課題として、開閉レバーが開放されたままで消火栓扉が閉止されないようにする従来技術（特許文献４参照）はあったが、その構造が複雑であったことがあげられる。
【００１７】
単純な構成としては、例えば、垂直な開閉レバーを手前に９０度倒して、消火栓扉の閉止を阻止する位置にまで開閉レバーの先端を突出させる構成が考えられる。しかしこの構成では、閉弁時の垂直な開閉レバーは垂直な給水配管に接続された消火栓弁の左または右の直近に備えざるを得ないため、右手または左手のいずれかの操作性が全く悪くなるので、この構成は採用できない。
【００１８】
この発明の第二の目的は、左右の手の操作性に差の無い消火栓弁であって、かつ消火栓弁の開閉レバーが開放された状態で消火栓扉が閉止されることのないようにした簡単な構造の消火栓装置を得ることである。
【００１９】
【課題を解決するための手段】
この発明は、消火栓扉が備えられた開口部を形成する筐体の中に配設された消火栓弁の開閉レバーの先端側に、ほぼ水平でかつ前記開口部にほぼ平行な軸を持つ把手部を設けたことにより、前記目的を達成しようとするものである。また、この発明は、前記消火栓弁の開閉レバーの閉止位置が垂直より手前に前傾していることにより、前記目的を達成しようとするものである。
【００２０】
また、この発明は、少なくとも前記消火栓弁の全開時には前記把手部が、前記消火栓扉の閉止位置で干渉する構成であることにより、前記第二の目的を達成しようとするものである。
【００２１】
【発明の実施の形態】
この発明の実施形態１を図１と図２とにより説明する。図１は、内部を透視して見せた透視正面図である。図２は、図１の要部拡大斜視図で、（ａ）は警戒時の状態、（ｂ）は使用時の状態を示す図である。
【００２２】
１は消火栓装置、２はこの消火栓装置１に配設された消火栓弁、３はこの消火栓弁２を接続し消火栓装置１内に配設された給水配管、４はこの給水配管３の末端に元部が接続された消火栓ホース、５はこの消火栓ホース４の先端に接続されたノズル、６は消火栓弁２の二次側の給水配管３に接続された圧力調整弁、７は圧力調整弁６の二次側の給水配管３に接続されたメンテナンス弁、１０は消火栓装置１の筐体であり前記消火栓弁２がこの筐体１０の中に配設されている。１０ａはこの筐体１０の前面に形成された開口部、１１はこの開口部に備えられた消火栓扉、１２は前記消火栓ホース４を収容するホース収容側壁、１３はノズル５を着脱自在に保持しホース収容側壁１２に設けられたノズルホルダである。
【００２３】
２１は前記消火栓弁２の弁本体、２２は前記消火栓弁２の開閉レバー、Ｃは前記開閉レバー２２の水平な回動軸すなわち弁軸（中心軸線）、２３は前記開閉レバー２２の先端側に設けられ前記回動軸Ｃに平行な軸部、２４はこの軸部２３に脱落しないように遊嵌された把手部としてのローラー、Ｈは前記軸部２３および前記ローラー２４の軸（中心軸線）である。なお、前記回動軸Ｃ及び軸Ｈは前記開口部１０ａ（がつくる平面）に対して平行となっている。
【００２４】
図２は消火栓弁２を示した斜視図で、（ａ）は開閉レバー２２が垂直に立ち上げた位置にあり、消火栓弁２は閉止状態すなわち警戒時の状態の図を示し、（ｂ）は開閉レバー２２が回動軸Ｃから水平手前（取扱い者側）の位置にあり、消火栓弁２は全開状態すなわち使用時の状態の図を示している。
【００２５】
よって、図２に示すように、把手部である前記ローラー２４の高さ位置が、消火栓弁２の閉止時より全開時が低い位置となっている。また、前記ローラー２４の前後位置が、消火栓弁２の閉止時より全開時が手前位置となっている。
【００２６】
次に、本実施形態１の作動について説明する。
火災が発生した時、現場の者が急いで消火栓扉１１を開け、ノズル５を取り出し、とっさに片手でローラー２４をつかんで引き下ろす。この時、ローラー２４は水平で開口部１０ａに平行、すなわち正面を向いているので、ローラー２４をつかむのが右手でも左手でもつかみ勝手に差はなく、消火栓弁２を開く際にはローラー２４を上から下に水平のまま動かすので、右手でも左手でも操作性に差がないため、緊急対応性に優れた消火栓装置が得られる。なお、ローラー２４は、現場の者、すなわち操作者がローラー２４を正面から見た時に、ほぼ水平でかつ開口部１０ａの面に対しほぼ平行となるように設けられていればよい。
【００２７】
開閉レバー２２の回転方向については、上に回すか下に回すかについては、図示しない回転方向標識を見落としたとしても、開閉レバー２２の回動軸Ｃが見えるのでわかることと、操作としては上に持ち上げるよりも下に降ろす方がしやすいということがある。
【００２８】
このように、把手部２４の高さ位置が、消火栓弁の全閉時より全開時が低い位置であるので、開閉レバー２２の把手部２４の回転方向について取扱者が図示しない回転方向標識を認識しなかったとしても、下に降ろす方が力を入れ易く選ばれ易いということで操作性がよいものとなっている。
【００２９】
また、ローラー２４は円筒形状に図示しているが、いかなる形状、例えば多角柱状、凹凸の付いたグリップ状等でもかまわない。
【００３０】
また、ローラー２４は軸部２３に遊嵌するようにしてローラー２４が軸部２３に対して回転自在にしたが、ローラー２４を軸部２３との間で固定するようにしてもよく、軸部２３だけでローラー２４を設けなくてもよい。
【００３１】
次にこの発明の実施形態２を図３により説明するが、図１において消火栓弁２を消火栓弁４０に置き換えただけで実施形態１と同一図面符号はその名称も機能も同一である。
【００３２】
４０は垂直な給水配管３に設けられた消火栓弁、４１は前記消火栓弁４０の弁本体、４２は前記消火栓弁４０の開閉レバー、Ｃ２は前記開閉レバー４２の水平な回動軸すなわち弁軸（中心軸線）、４４は前記開閉レバー４２の先端側に設けられ前記回動軸Ｃ２に平行な丸棒状の把手部であり消火栓弁４０の閉止の時の位置を示し、４４ａは消火栓弁４０の全開の時の位置の把手部を示す。なお、前記回動軸Ｃ２及び把手部４４は消火栓装置１の筐体１０の開口部１０ａに対して平行としている。また、把手部４４は開閉レバー４２に対してノズル５の有る側すなわちノズル設置部であるノズルホルダ側に設けている。
【００３３】
消火栓弁４０の閉止状態では開閉レバー４２は垂直に立ち上がっており、消火栓弁４０の全開状態では前方（手前）に９０度倒れた位置、すなわち水平となる。この時、把手部４４は開口部１０ａから外に突出するように臨み、少なくとも消火栓弁４０の全開時には把手部４４が消火栓扉１１の閉止位置で干渉するように構成している。
【００３４】
次に上記実施形態２の作動を説明する。
火災が発生して、現場の取扱者が急いで消火栓扉１１を開け、ノズル５を取り出し、片手でローラー４４をつかんで引き下ろす。この時、ローラー４４は水平で開口部１０ａに平行なので、ローラー４４のつかみ勝手に左右の手の選びによる差はなく、消火栓弁４０を開く際にはローラー４４を上から下に水平のまま動かす。従って、操作性にも左右の手の選びによる差がない。また、ローラー４４は開閉レバー４２に対してノズルホルダの有る側に水平に設けているので、火災発生地点がノズルホルダ１３すなわちノズル設置部から見て消火栓弁４０側とは反対側であった場合、火災発生地点とは反対側に一旦は寄る必要があるとはいえ、ローラー４４の長さの分だけ水平距離が近く、消火栓弁側に寄る距離が短くなり消火栓弁４０の開弁操作が早くできる。
【００３５】
消火活動を終えて、図示しないポンプが制御盤で停止されると給水は収まり水は止まるので、消火栓ホース４から水が抜かれ、ホース４を筐体１０のホース収容側壁１２内に巻き収めノズル５をノズルホルダ１３に装着する。この際、消火栓弁４０を閉止する前にポンプが停止されると水が止まるので消火栓弁４０の閉止を忘れ、消火栓弁４０の全開のまま消火栓扉１１を閉止しようとしても、消火栓弁４０の全開時には把手部４４が消火栓扉１１の閉止位置で干渉すなわち障害になる構成なので、消火栓扉１１を閉じることができず、取扱者はこの時消火栓弁４０が閉止されていないことに気づく。そして、消火栓弁４０を閉止すると把手部４４は消火栓扉１１を干渉しなくなるので、消火栓扉１１は正常に閉止することができる。このように消火栓弁の閉め忘れが防止できる簡単な構成の、左右の手の選びによる操作性に差がない消火栓装置が得られる。
【００３６】
上記実施形態２では、消火栓弁４０の全開時に消火栓扉１１に干渉するようにしていたが、全開時を含めて消火栓弁４０の半開時あるいは閉止位置ではない位置にあったときに把手部４４が消火栓扉１１に干渉するように消火栓弁４０を消火栓扉に接近して配設するようにしてもよい。
【００３７】
次にこの発明の実施形態３を図４により説明するが、図１において消火栓弁２を消火栓弁５０に置き換えただけで実施形態１と同一図面符号はその名称も機能も同一である。
【００３８】
５０は垂直な給水配管３に設けられた消火栓弁、５１は前記消火栓弁５０の弁本体、５２は前記消火栓弁５０の開閉レバー、Ｃ３は前記開閉レバー５２の水平な回動軸すなわち弁軸（中心軸線）、５４は前記開閉レバー５２の先端側に設けられ前記回動軸Ｃ３に平行な丸棒状の把手部（ローラー）であり、消火栓弁５０の閉止の時の位置を示し、５４ａは消火栓弁５０の全開の時の位置の把手部を示す。なお、前記回動軸Ｃ３及び把手部５４は消火栓装置１の筐体１０の開口部１０ａに対して平行としている。
【００３９】
Ｚは前記開閉レバー５２の回動点を通る垂直線、Ｌは前記開閉レバー５２の閉弁時の軸線（中心線）、Ｌａは前記開閉レバー５２の全開時の軸線（中心線）で軸線Ｌから軸線Ｌａの角度は９０度である。θは軸線Ｌの垂直線Ｚに対する前傾角度であり、θは０度を越え９０度未満を取りうるが例えば３０度が選ばれる。
【００４０】
次に上記実施形態３の作動を説明する。
火災が発生して、現場の取扱者が急いで消火栓扉１１を開け、ノズル５を取り出し、片手でローラー５４をつかんで引き下ろす。このとき、消火栓弁５０が閉止位置で開閉レバー５２が前傾しているので、ローラー５４が前方（取扱者側）に突出しているため目立ち、初めて取り扱う者としては分かり易い。
【００４１】
また、ローラー５４をつかんでローラー５４ａまで引き下ろす時、消火栓弁５０が閉止位置で開閉レバー５２が前傾するように構成していると、ローラー５４の上下方向の位置の変化は大きいが前後方向の位置の変化は小さいため、ローラー５４を回動軸Ｃ３を中心として前後に丸く回動するというイメージよりも、ローラー５４を降ろすというイメージの方が強い。操作説明板にローラー５４の操作の仕方を図解表現するにも、回動する事を説明するよりも、単純に降ろすという事を説明する方が極めて分かり易いので、初めての取扱者や弁のことを全く知らない人にとっても分かり易く操作し易い。
【００４２】
なお、θを４５度未満にすると、図４に示すように消火栓弁５０の全開時のローラー５４ａが閉止時のローラー５４より前方に位置するため、消火栓弁５０が全開状態ならば、消火栓扉１１の閉止時にローラー５４ａが消火栓扉１１に干渉して、消火栓扉１１が閉まらないようにでき、上記実施形態２に示すように消火栓弁の閉め忘れ防止機能を有する消火栓装置１が得られる。
【００４３】
【発明の効果】
消火栓扉が備えられた開口部を形成する筐体の中に配設された消火栓弁の開閉レバーの先端側に、ほぼ水平でかつ開口部に平行な軸を持つ把手部を設けたので、左右の手の選びによる、消火栓弁の把手部のつかみ勝手と消火栓弁の閉止操作のし易さに、差がない消火栓装置が得られるという効果がある。
【００４４】
また、把手部の高さ位置が、消火栓弁の閉止時より全開時が低い位置であるので、開閉レバーの回転方向標識を見なくとも下に降ろす方が力を入れやすく選ばれ易いということで、操作性のよい消火栓装置が得られるという効果がある。
【００４５】
また、垂直に配設された給水配管に接続された前記消火栓弁の前記開閉レバーの閉止位置が垂直より手前側に前傾しているので、把手部が前方（取扱者側）に突出しているため目立ち、初めて取り扱う者としては分かり易い。更に、上下方向の位置の変化は大きいが前後方向の位置の変化は小さくなるため、把手部を降ろすという図解説明板で分かり易く、初めての取扱者や弁のことを全く知らない人にとっても分かり易く操作し易い。
【００４６】
また、少なくとも消火栓弁の全開時には、把手部が消火栓扉の閉止位置で干渉する構成であるので、消火栓弁が開いたまま消火栓扉を閉めることが出来ないことから、消火栓弁の閉め忘れが防止できる簡単な構成の消火栓装置が得られるという効果がある。
【図面の簡単な説明】
【図１】本発明の第１の実施の形態を示す透視正面図である。
【図２】図１の要部拡大斜視図で、（ａ）は警戒時の状態、（ｂ）は使用時の状態を示す図である。
【図３】本発明の第２の実施の形態の要部拡大側面図である。
【図４】本発明の第３の実施の形態の要部拡大側面図である。
【図５】従来例を示す正面図である。
【図６】他の従来例を示す斜視図である。
【図７】更に他の従来例を示す正面図である。
【符号の説明】
１      消火栓装置
２      消火栓弁
３      給水配管
４      消火栓ホース
５      ノズル
１０    筐体
１０ａ  開口部
１１    消火栓扉
１３    ノズルホルダ
２２    開閉レバー
２３    軸部
２４    ローラー
４０    消火栓弁
４２    開閉レバー
４４    ローラー
５０    消火栓弁
５２    開閉レバー
５４    ローラー
Ｃ、Ｃ２、Ｃ３  弁軸
Ｈ              軸
Ｚ、Ｌ          軸線
θ              前傾角度
【図１】
2004283184.tif 000003
【図２】
2004283184.tif 000004
【図３】
2004283184.tif 000005
【図４】
2004283184.tif 000006
【図５】
2004283184.tif 000007
【図６】
2004283184.tif 000008
【図７】
2004283184.tif 000009